(57)【特許請求の範囲】
【請求項１】
Ｚ板育成の種水晶のＹ軸方向の一方の端部に、＋Ｘ軸側方向の孔が該種水晶の該＋Ｘ軸側種水晶端部から＋Ｘ軸方向側の該孔までの寸法Lの位置に、
−Ｘ軸側方向の孔が該種水晶の−Ｘ軸側種水晶端部から−Ｘ軸方向側の該孔までの寸法２Lの位置に、それぞれ該Ｚ板育成の種水晶を吊るすための孔加工が施されたことを特徴とする人工水晶の種水晶。
【請求項２】
該種水晶の一方の端部の２箇所に施された該孔加工に相対して、該種水晶のＹ軸方向の他方の端部に、孔加工が１箇所施されたことを特徴とする請求項１に記載の人工水晶の種水晶。
【発明の詳細な説明】
【０００１】
【発明の属する技術分野】
本発明は、人工水晶種を育成するにあたり、その人工水晶の種水晶の吊り下げ方向確実を容易にすることにより、作業性の向上と品質の向上を改善する人工水晶の種水晶の吊り下げに関するものである。
【０００２】
【従来の技術】
古今を問わず、正確なクロック発生源として主に電子技術を扱う多くの分野で、時間、周波数等の基準信号として圧電振動子（特に水晶振動子）が多用されている。このような水晶振動子は、代表例としては、人工水晶を種水晶から育成し成長させたものをＡＴカット板と称される切断角に切断した水晶片を用いることが、水晶振動子の発振周波数が最も安定した温度特性を持つことが知られていることからも多用化されている。
【０００３】
従って、多くの電子機器に使用される水晶振動子を大量に供給する意味で、従来ではＹ棒と言われた人工水晶の育成を行っていたことから、Ｚ板と言う人工水晶の育成生成物へと人工水晶の育成物が変化してきている。これは、実際の水晶振動子として電子部品に応用する上で、人工水晶から採取できる人工水晶のＺ面領域の面積に起因するものであり、従来のＹ棒に比べてＺ板は有効に採取できる面積が多いという利点から、最近ではほとんどがＺ板の人工水晶を育成する傾向へと変化しているのが現状である。
【０００４】
【発明が解決しようとする課題】
上述の人工水晶の育成がＺ板の育成に変わることから、人工水晶から取得できる水晶振動子の採取効率を大きく向上させることができたものの、Ｚ板の種水晶を育成するとき、育成炉の中での育成方向を考えた場合、育成中の種水晶はＺ板の＋Ｘ方向の成長速度は−Ｘ方向の成長速度の約２倍であり、種水晶を枠に納め吊り下げる際にＸ軸方向の軸方向を点々ばらばらのままにして吊り下げてしまうと、＋Ｘ軸方向が向かい合っている箇所では成長につれて人工水晶同志が衝突するといった不都合を発生することから、育成中の人工水晶の破損や、人工水晶同士の接触に伴う相互干渉による不具合も招くという課題が生じてしまう。
【０００５】
【課題を解決するための手段】
前述の課題を解決し、種水晶を育成枠に装着する際に、全ての種水晶のＸ軸の方向を＋Ｘ軸方向もしくは−Ｘ軸方向といった軸方向を揃えることを目的とするために本発明は、Ｚ板育成の種水晶のＹ軸方向の端部に＋Ｘ軸には−Ｘ軸方向の１／２の寸法位置に、−Ｘ軸方向には＋Ｘ軸の２倍の寸法位置にそれぞれに該Ｚ板育成の種水晶を吊るすための孔加工を施すことを特徴とする人工水晶の種水晶である。また更に該孔加工は、Ｙ軸方向の一方には２箇所、Ｙ方向の他方には１箇所配置することも特徴とするものである。
【０００６】
要するに本発明は、育成枠に人工水晶の種を納め種を吊り下げることに対し、Ｚ板育成の種水晶のＹ軸方向の端部に＋Ｘ軸方向位置より−Ｘ軸方向位置の方が離れたところに孔加工を施すことを特徴とするもので、その一例として、Ｚ板の種水晶ではＺ板の＋Ｘ方向の成長速度は−Ｘ方向の成長速度の約２倍であることから、種水晶相互の干渉を避けるために、種水晶の軸方向を認識し易くする手法として、Ｚ板種水晶のＺ板育成の種水晶のＹ軸方向の端部に＋Ｘ軸には−Ｘ軸方向の１／２の寸法位置に、−Ｘ軸方向には＋Ｘ軸の２倍の寸法位置にそれぞれに該Ｚ板育成の種水晶を吊るすための孔加工を施すことで、軸方向の認識を容易にし、作業性と品質の向上を実現するものである。
【０００７】
【発明の実施の形態】
以下、添付図面に従ってこの発明の実施例を説明する。なお、各図において同一の符号は同様の対象を示すものとする。本発明の一実施例を図１に示す種水晶１のＺカット平面図を参照して説明する。図１において種水晶１はＺ板から切り出した水晶板で、長手方向をＹ軸（紙面上下方向）、幅方向をＸ軸とし幅方向の一方の側が＋Ｘ（紙面右側）、他方の側が−Ｘ方向（紙面左側）である。
【０００８】
ここで本願の特徴である要部を図２に示すように、Ｚ板育成の種水晶１のＹ軸方向の端部に、＋Ｘ軸側方向の孔が該種水晶の該＋Ｘ軸側種水晶端部から＋Ｘ軸方向側の該孔までの寸法Lの位置に、−Ｘ軸側方向の孔が該種水晶の−Ｘ軸側種水晶端部から−Ｘ軸方向側の該孔までの寸法２Lの位置に、それぞれにＺ板育成の種水晶１を吊るすための孔２加工を施すものである。このとき、孔２加工（の配置）は、Ｙ軸方向の一方には２箇所、Ｙ軸方向の他方には１箇所配置されることを特徴として種水晶１を人工水晶３の育成炉の枠体４に吊るすものである。
【０００９】
例えばＸ軸方向における＋Ｘ軸側種水晶端部から＋Ｘ軸方向側の孔２までの寸法をＬとした場合、−Ｘ軸方向側の−Ｘ軸側種水晶端部から−Ｘ軸方向側の孔までの寸法を２Ｌとした具体的な寸法位置関係で孔２加工が施されている。このとき、Ｙ軸方向についての寸法領域の規制はないが、孔２加工の位置が種水晶１の中心部分に近づくことにより、水晶振動子を採取できる有効面積が当然のことながら減ることから、吊り下げ強度との兼ね合いを考慮し、孔２加工の位置は種水晶１の外側に近い方が好ましい。
【００１０】
図１に示す平面図に加工する孔２部によりＺ板種水晶１を人工水晶３の育成炉に格納したときの枠体４に対し、個々のＺ板種水晶１の方向性を揃えることができる。なお、ここで本願の特徴の孔２加工の位置についてであるが、図３に示す様に、Ｚ板育成の種水晶１のＹ軸方向の端部に＋Ｘ軸には−Ｘ軸方向の１／２の寸法位置に、−Ｘ軸方向には＋Ｘ軸の２倍の寸法位置で吊り下げることにより、人工水晶３の育成が終了したアズグローンの形態になったときに、吊り下げ孔２はアズグローンに対して左右均等（Ｘ軸方向に対して）となりアズグローンの形態を見てもスマートに仕上げることができる。
【００１１】
なお、本願の孔２加工方法は、ダイアモンドドリルによる加工や、サンドブラストによる加工など特に孔２加工に拘るものでは無い。ここで図４に種水晶１を枠体４に吊り下げたときの概念図を示すが、本願によりＺ板の種水晶１のＸ軸方向の方向性を整えることが容易となることから、育成炉に格納する枠体４に種水晶１を吊り下げる際の（軸）方向性を間違える頻度を減らし、育成中の種水晶１同士の相互干渉による人工水晶３の破損を削減することができる。
【００１２】
【発明の効果】
上述のように本願の発明により特にＺ板の種水晶を人工育成する際の、種水晶の吊り下げ工程での軸方向認識を容易にかつ正確に判定することで、種水晶の枠体への吊り下げ効率と、種水晶を吊り下げる際の軸方向誤作業が改善できることと、種水晶の育成中の相互干渉を減少できることから、製品（アズグローン）歩留まりと品質の向上を実現できる。
【図面の簡単な説明】
【図１】本発明の種水晶の孔加工を示す平面図である。
【図２】本発明の孔部要部を拡大した平面図である。
【図３】本発明により得られたアズグローンを示す平面図である。
【図４】本発明の種水晶を枠体に吊り下げたときの概念図である。
【符号の説明】
１      種水晶
２      孔
３      人工水晶
【図１】
0004704634.tif 000002
【図２】
0004704634.tif 000003
【図３】
0004704634.tif 000004
【図４】
0004704634.tif 000005